【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ユーザの手による鉗子の操作のために近方領域に持ち手部を有する前記鉗子を備えるバイポーラ電気外科用具と用いるために適合されたアクチュエータアセンブリであって、前記用具は、前記近方領域にある用具プラグと、前記用具プラグに導入される電流を組織に印加するために前記用具プラグに動作可能に接続された遠方領域にある少なくとも２つの電極とのおおまかに間に延びる長手軸を有し、前記アクチュエータアセンブリは、
前記アクチュエータアセンブリを前記用具に取り付けるためのコネクタと、開いた位置及び閉じた位置の間を移動可能な前記コネクタ上のスイッチと、であって、前記コネクタは、前記コネクタが前記用具に取り付けられ、前記スイッチが前記閉じた位置にある場合に前記用具プラグに電流を導入するための発電装置との接続用に構成される、コネクタ及びスイッチと、
アクチュエータアームを含む作動コンポーネントであって、前記アクチュエータアームは、前記スイッチを前記閉じた位置にするために前記ユーザの前記手によって前記アクチュエータアームを移動するように前記作動コンポーネントに取り付けられ、前記アクチュエータアームは、前記作動コンポーネントから、前記用具の前記長手軸におおまかに沿って、前記持ち手部に隣接する位置であって、前記アクチュエータアセンブリが前記用具に取り付けられた場合に移動方向に間隔を有する位置へ延びるように構成される、作動コンポーネントと、
を備える、アクチュエータアセンブリ。
【請求項２】
前記スイッチは、プッシュボタンスイッチを備え、前記アクチュエータアームは、前記アクチュエータアームが前記アクチュエータアームに隣接する前記持ち手部に向けて前記ユーザの前記手によって動かされた場合に前記プッシュボタンを前記閉じた位置へ押すために前記ユーザの前記手により回転するように前記作動コンポーネントに旋回可能に取り付けられる、請求項１に記載のアクチュエータアセンブリ。
【請求項３】
前記用具プラグは、雄接続部材及び雌ソケットのうちの少なくとも１つを備え、前記コネクタは、前記用具を前記アクチュエータアセンブリに取り外し可能に取り付けるための係合する雌ソケット及び係合する雄接続部材のうちの少なくとも１つの他方を含む出力プラグを備える、請求項２に記載のアクチュエータアセンブリ。
【請求項４】
前記用具プラグは、少なくとも２つの雄接続部材を備え、前記出力プラグは、少なくとも２つの係合する雌ソケットを備える、請求項３に記載のアクチュエータアセンブリ。
【請求項５】
前記鉗子は、遠方端に前記電極を有する２つのブレードを備え、前記持ち手部は、前記ブレードの対向する平坦領域を備え、
前記アクチュエータアームは、前記プラグの前記雄接続部材が前記コネクタの前記雌ソケットに係合された場合に、前記ブレードのうちの１つの前記平坦領域に隣接するように延びる、請求項４に記載のアクチュエータアセンブリ。
【請求項６】
前記鉗子は、遠方端に前記電極を有する２つのブレードを備え、前記持ち手部は、前記ブレードの対向する平坦領域を備え、
前記アクチュエータアームは、前記プラグの前記雄接続部材が前記コネクタの前記雌ソケットに係合された場合に、前記長手軸に平行な面であって、前記ブレードの前記平坦領域の間に延びる面にある、請求項４に記載のアクチュエータアセンブリ。
【請求項７】
前記コネクタは、前記発電装置の電源コードに前記コネクタを取り外し可能に取り付けるための入力プラグを含む、請求項３に記載のアクチュエータアセンブリ。
【請求項８】
電源コードを更に備える、請求項１に記載のアクチュエータアセンブリ。
【請求項９】
前記電源コードは、前記コネクタに接続された第１端と、前記発電装置に前記電源コードを取り外し可能に接続するための入力プラグを有する第２端との間に延びる、請求項８に記載のアクチュエータアセンブリ。
【請求項１０】
電源コードを更に備える、請求項５に記載のアクチュエータアセンブリ。
【請求項１１】
前記電源コードは、前記コネクタに接続された第１端と、前記発電装置に前記電源コードを取り外し可能に接続するための入力プラグを有する第２端との間に延びる、請求項１０に記載のアクチュエータアセンブリ。
【請求項１２】
前記用具プラグは、少なくとも２つの雄接続部材を備え、
前記コネクタは、前記用具プラグの前記２つの雄接続部材に係合する少なくとも２つの雌ソケットを有する出力プラグを備え、
前記アクチュエータアセンブリは、前記コネクタ及び前記作動コンポーネントを備える単一構造である、請求項３に記載のアクチュエータアセンブリ。
【請求項１３】
電源コードであって、前記コネクタに接続された第１端と、前記発電装置に前記電源コードを取り外し可能に接続するための入力プラグを有する第２端との間に延びる電源コードを更に備える、請求項１２に記載のアクチュエータアセンブリ。
【請求項１４】
前記電源コードは、前記電源コードの前記第１端に生成器レセプタクルを含み、
前記コネクタは、前記生成器レセプタクルの２つの雌ソケットに係合する２つの雄接続部材を有するコネクタ入力プラグを更に備え、
前記アクチュエータアセンブリは、前記コネクタ及び前記作動コンポーネントを備える単一構造である、請求項１３に記載のアクチュエータアセンブリ。
【請求項１５】
電気外科装置であって、
ユーザの手による鉗子の操作のために２つのブレードの近方領域に持ち手部を含む前記ブレードを有する前記鉗子と、長手軸とを備え、前記長手軸は、前記ブレードの近方端にある用具プラグと、ユーザが前記持ち手部で前記鉗子を操作する際に前記用具プラグに導入される電流を組織に印加するために前記用具プラグに動作可能に接続された前記ブレードの遠方端にある電極とのおおまかに間に延びる、バイポーラ電気外科用具と、
アクチュエータアセンブリであって、（ｉ）コネクタであって、前記アクチュエータアセンブリを前記用具に取り外し可能に取り付けるために前記用具プラグと協働する出力プラグと、開いた位置及び閉じた位置の間を移動可能な前記コネクタ上のスイッチと、を含み、前記スイッチが前記閉じた位置にある場合に発電装置から前記用具プラグへ電流を導入するために構成されるコネクタと、（ｉｉ）作動コンポーネントであって、前記スイッチを前記閉じた位置にするために前記ユーザの前記手によってアクチュエータアームを移動するように前記作動コンポーネントに取り付けられた前記アクチュエータアームを含み、前記アクチュエータアームは、前記作動コンポーネントから、前記用具の前記長手軸におおまかに沿って、前記持ち手部に隣接する位置であって、移動方向に間隔を有する位置へ延びる、作動コンポーネントと、を有するアクチュエータアセンブリと、
を備える電気外科装置。
【請求項１６】
前記スイッチは、プッシュボタンスイッチを備え、前記アクチュエータアームは、前記アクチュエータアームが前記アクチュエータアームに隣接する前記持ち手部に向けて前記ユーザの前記手によって動かされた場合に前記プッシュボタンを前記閉じた位置へ押すために前記ユーザの前記手により回転するように前記作動コンポーネントに旋回可能に取り付けられる、請求項１５に記載の電気外科装置。
【請求項１７】
前記用具プラグは、少なくとも２つの雄接続部材を備え、前記出力プラグは、少なくとも２つの係合する雌ソケットを含む、請求項１６に記載の電気外科装置。
【請求項１８】
前記持ち手部は、前記ブレードの対向する平坦領域を備え、前記アクチュエータアームは、前記ブレードのうちの１つの前記平坦領域に隣接して延びる、請求項１７に記載の電気外科装置。
【請求項１９】
前記コネクタに接続された第１端と、入力プラグに接続された第２端とを有する電源コードを更に備え、前記入力プラグは、雄接続部材と、前記発電装置に前記電源コードを取り外し可能に接続するための係合する雌ソケットとのうちの少なくとも１つを含む、請求項１５に記載の電気外科装置。
【請求項２０】
前記用具プラグは、少なくとも２つの雄接続部材を備え、
前記コネクタは、前記用具プラグの前記２つの雄接続部材に係合する少なくとも２つの雌ソケットを有する出力プラグを備え、
前記アクチュエータアセンブリは、前記コネクタ及び前記作動コンポーネントを備える単一構造である、請求項１９に記載の電気外科装置。
【手続補正２】
【補正対象書類名】明細書
【補正対象項目名】００２３
【補正方法】変更
【補正の内容】
【００２３】
図１及び図２ａ−図２ｂを続けて、短絡を避けるために、基端２０から加熱端１８に延びるすべての部分で２つの細長ブレード又は歯１４がインシュレータ又は様々な絶縁材料で被覆されてもよい。しかし、ブレードは、加熱電流６６を通すことによって焼灼又は解剖される組織をつかむために加熱端１８の近くの内側先端でむき出しであってもよい。加熱電流６６は交流であってもよく、約２００ｋＨｚから約４．０ＭＨｚの範囲の周波数を有してもよい。取っ手２２は、外科医によって保持されてもよく、ブレード１４の関節を可能にしてもよい。ブレード１４は、インシュレータ２６によって絶縁的に結び合わされてもよく、ブレード１４の関節を可能にしてもよい。インシュレータ２６はまた、用具プラグ１６の突起４２を保有してもよい。基部２４は、用具１２のうち用具プラグ１６に最も近く外科効果を伴わない部分を指してもよく、取っ手２２とほぼ兼用であってもよい。
【手続補正３】
【補正対象書類名】明細書
【補正対象項目名】００２４
【補正方法】変更
【補正の内容】
【００２４】
ここで、図３ａ−図３ｂ、図４ａ−図４ｂ、図５ａ−図５ｂ及び図６−図８を参照して、様々な実施形態において、バイポーラ電気外科作動システム１０は、ソケット４４を含む出力レセプタクル３４と、突起４２のような雄接続部材を含む入力プラグ３２と、加熱電流６６を突起４２から係合する雌ソケット４４へ渡すように構成された作動コンポーネント４０とを有するアクチュエータアセンブリ３０を備えてもよい。アクチュエータアセンブリ３０は、図３ｂに示されるように、外科用具（鉗子）１２の用具プラグ１６と、用具プラグ１６に相補的である生成器レセプタクル２８との間にインラインに介在してもよい。出力レセプタクル３４及び入力プラグ３２のために選ばれるコネクタタイプは、様々な製品の外科用具１２によって用いられるコネクタのサイズ、様式及び性別に合致するように選択されてもよい。作動コンポーネント４０は、スイッチ３６及びレバーアーム３８を含んでもよく、スイッチ３６又はレバーアーム３８の係合の際に入力プラグ３２から出力レセプタクル３４へ流すように加熱電流６６を選択的に作動させるためにバイポーラ生成器６０と通信するように構成されてもよい。これに代えて、作動コンポーネント４０は、スイッチ３６のみ又はレバーアーム３８のみを含んでもよい。当該技術で既知の様々な技術は、バイポーラ生成器６０の選択的作動を促進してもよく、これは図６−図８で以下に説明される。